(57)【要約】【課題】冷房運転時などにおいて、ドレンパンに回収された結露水が波立ってドレンパンの外へ飛散することを抑制できる空気調和装置を提供する。【解決手段】空気調和装置１は、ファン５と、ドレンパン９と、消波部材２１とを備えている。ファン９は、室内熱交換器８に対して空気流を発生させる。ドレンパン９は、室内熱交換器８表面で生成された結露水を回収する。消波部材２１は、ドレンパン９に貯留された結露水の波立ちを抑える。そして、消波部材２１は、ドレンパン９の空気流下流側の縁９ａの近傍に配置されている。【選択図】図１
2008128488.tif 000002
【特許請求の範囲】
【請求項１】
室内熱交換器（８，１０８）に対して空気流を発生させるファン（５，１０５）と
前記室内熱交換器（８，１０８）表面で生成された結露水を回収するドレンパン（９，１０９）と、
前記ドレンパン（９，１０９）に貯留された前記結露水の波立ちを抑える消波部材（２１）と、
を備え、
前記消波部材（２１）が、前記ドレンパン（９，１０９）の前記空気流下流側の縁（９ａ，１０９ａ）の近傍に配置されている、
空気調和装置（１，１０１）。
【請求項２】
前記消波部材（２１）が、前記縁（９ａ，１０９ａ）の一端の近傍から他端の近傍まで連続して配置されている、
請求項１に記載の空気調和装置（１，１０１）。
【請求項３】
前記消波部材（２１）は、前記空気流の流れ方向に１０ｍｍ以上の幅を有する、
請求項１に記載の空気調和装置（１，１０１）。
【請求項４】
前記消波部材（２１）が網状体である、
請求項１に記載の空気調和装置（１，１０１）。
【請求項５】
前記消波部材（２１）が多孔質体である、
請求項１に記載の空気調和装置（１，１０１）。
【請求項６】
前記消波部材（２１）は、抗菌触媒が練りこまれている、もしくは抗菌触媒が塗布されている、
請求項１に記載の空気調和装置（１，１０１）。
【請求項７】
前記室内熱交換器（１０８）は、前記ファン（１０５）から近い側の端部が下方に位置し前記ファン（１０５）から遠い側の端部が上方に位置するように傾斜しており、前記ファン（１０５）から近い側の端部が、前記ドレンパン（１０９）内に位置している、
請求項１に記載の空気調和装置（１０１）。
【発明の詳細な説明】
【技術分野】
【０００１】
本発明は、空気調和装置に関し、特にドレンパンに回収された水が飛散しないように配慮された空気調和装置に関する。
【背景技術】
【０００２】
一般に空気調和装置では、冷房運転時に室内熱交換器で結露水が発生するため、それを回収するドレンパンが室内熱交換器の下部に設置されている（例えば、特許文献１）。図６は、特許文献１に記載された空気調和装置のドレンパン周辺の拡大断面図である。図６において、ドレンパン１９に回収された結露水はドレンポンプ（図示せず）によって室外に排出される。また、ドレンパン１９にたまった水が、吹出し空気の風圧によってドレンパン１９の縁１９ａを超えて飛散しないように、ドレンパン１９の貯水部には吸水性材料１５が設けられ、貯水面が低くなるように配慮されている。
【特許文献１】特開平１１−１１８１７９号公報
【発明の開示】
【発明が解決しようとする課題】
【０００３】
しかしながら、特許文献１に記載された空気調和装置では、吸水性部材１５がドレンパン１９内に設置されていても、貯水面が吸水性部材１５の上方にあるので、風圧による波立ちが解消されない限り、結露水が縁１９ａを越えて飛散する可能性が残る。このため、縁１９の高さを低くすることができず、送風時に圧損が生じていた。
【０００４】
本発明の課題は、冷房運転時などにおいて、ドレンパンに回収された結露水が波立ってドレンパンの外へ飛散することを抑制した空気調和装置を提供することにある。
【課題を解決するための手段】
【０００５】
第１発明に係る空気調和装置は、ファンと、ドレンパンと、消波部材とを備えている。ファンは、室内熱交換器に対して空気流を発生させる。ドレンパンは、室内熱交換器表面で生成された結露水を回収する。消波部材は、ドレンパンに貯留された結露水の波立ちを抑える。そして、消波部材は、ドレンパンの空気流下流側の縁の近傍に配置されている。
【０００６】
この空気調和装置では、空気流の風圧で発生するドレンパン水面の波立ちが、消波部材によって緩和される。このため、水飛沫がドレンパンの縁を飛び越えて飛散することが抑制される。
【０００７】
第２発明に係る空気調和装置は、第１発明に係る空気調和装置であって、消波部材が、縁の一端の近傍から他端の近傍まで連続して配置されている。
【０００８】
この空気調和装置では、水面上の波が回折する場所がなくなり、伝播による波立ちが防止される。このため、水飛沫がドレンパンの縁を飛び越えて飛散することが抑制される。
【０００９】
第３発明に係る空気調和装置は、第１発明に係る空気調和装置であって、消波部材が、空気流の流れ方向に１０ｍｍ以上の幅を有している。
【００１０】
この空気調和装置では、空気流の風圧によって発生する波の波長よりも、空気流によって発生する波の伝播方向における消波部材の幅が十分大きいため、仮に波が消波部材を回折して伝播しても波立ちが小さい。このため、水飛沫がドレンパンの縁を飛び越えて飛散することが抑制される。
【００１１】
第４発明に係る空気調和装置は、第１発明に係る空気調和装置であって、消波部材が網状体である。このため、消波部材の加工が容易であり、ドレンパンの縁に合った形状に成形でき、且つ安価である。
【００１２】
第５発明に係る空気調和装置は、第１発明に係る空気調和装置であって、消波部材が多孔質体である。多孔質体は軽量であるので、装置の重量化が抑制される。
【００１３】
第６発明に係る空気調和装置は、第１発明に係る空気調和装置であって、消波部材に抗菌触媒が練りこまれている、もしくは抗菌触媒が塗布されている。
【００１４】
この空気調和装置では、消波部材に吸着された雑菌が触媒によって死滅する。このため、ドレンパン内での雑菌の繁殖が抑制され、吹出される空気が清潔になる。
【００１５】
第７発明に係る空気調和装置は、第１発明に係る空気調和装置であって、室内熱交換器が、ファンから近い側の端部が下方に位置しファンから遠い側の端部が上方に位置するように傾斜している。そして、ファンから近い側の端部が、ドレンパン内に位置している。
【００１６】
この空気調和装置では、室内熱交換器の端部がドレンパンの内部に位置することで、ドレンパン内の水面に作用するファンからの風圧が緩和される。このため、ドレンパン内の水面の波立ちが抑制され、水飛沫の飛散も抑制される。
【発明の効果】
【００１７】
第１発明に係る空気調和装置では、空気流の風圧で発生するドレンパン内の水面の波立ちが、消波部材によって緩和されるので、水飛沫がドレンパンの縁を飛び越えて飛散することが抑制される。
【００１８】
第２発明に係る空気調和装置では、水面上の波が回折する場所がなくなり、伝播による波立ちが防止されるので、水飛沫がドレンパンの縁を飛び越えて飛散することが抑制される。
【００１９】
第３発明に係る空気調和装置では、空気流の風圧によって発生する波の波長よりも、波の伝播方向における消波部材の幅が十分大きいため、仮に波が消波部材を回折して伝播しても波立ちが小さい。このため、水飛沫がドレンパンの縁を飛び越えて飛散することが抑制される。
【００２０】
第４発明に係る空気調和装置では、消波部材が網状体であるので、加工が容易であり、ドレンパンの縁に合った形状に成形でき、且つ安価である。
【００２１】
第５発明に係る空気調和装置では、消波部材が多孔質体であるので、軽量である。
【００２２】
第６発明に係る空気調和装置では、消波部材に吸着された雑菌が触媒によって死滅するので、ドレンパン内での雑菌の繁殖が抑制され、吹出される空気が清潔になる。
【００２３】
第７発明に係る空気調和装置では、室内熱交換器の端部がドレンパンの内部に位置することで、ドレンパン内の水面に作用するファンからの風圧が緩和される。このため、ドレンパン内の水面の波立ちが抑制され、水飛沫の飛散も抑制される。
【発明を実施するための最良の形態】
【００２４】
〔第１実施形態〕
＜空気調和装置の構成＞
図１は、本発明の第１実施形態に係る空気調和装置の断面図である。空気調和装置１は、下方および側方が開放されたケーシング２を介して天井面に吊下げ支持される。また、空気調和装置１は、下面に矩形状のパネル３を有している。このパネル３は、その四隅でケーシング２に接続され、中央部に空気吸込口３ａが形成されている。そして、空気吸込口３ａには、吸込まれた空気中の塵埃を除去するためのエアフィルタ３ｂが備えられている。また、各側面には空気吹出口４がそれぞれ形成されている。その各空気吹出口４には吹出し空気の風向を調整するルーバ４ａが配置されている。
【００２５】
空気調和装置１内の中央部にはターボファン５が配置されている。ターボファン５は、モータ６の駆動によって回転し、下側から吸込んだ空気を径方向外側に吹出すようになっている。また、このターボファン５の下側には、ターボファン５へ室内空気を案内するためのベルマウス７が配置されている。
【００２６】
ターボファン５の外周には、室内熱交換器８が配置されている。室内熱交換器８は、複数のフィン（図示せず）を備えており、フィンの間を通過する空気と冷媒管（図示せず）の内部を流通する冷媒との間で熱交換を行わせ、所定温度に温度調整された空気を生成するものであり、冷房運転時には蒸発器として、暖房運転時には凝縮器として機能する。このように、ターボファン５から送られてくる空気は、室内熱交換器８によって温度調整されている。
【００２７】
また、室内熱交換器８の下側には室内熱交換器８で発生した結露水を回収するためのドレンパン９が配置されている。このドレンパン９にはドレンポンプ（図示せず）が備えられており、そのドレンポンプがドレンパン９で回収した結露水を汲み上げて室外に排出する。
【００２８】
＜消波部材＞
ドレンパン９では、貯留されている結露水が、ターボファン５から送られてくる空気の風圧によって、ドレンパン９の縁に寄せられ、水面が常に高速の吹出し空気に晒される。
【００２９】
図２は、本発明の第１実施形態に係る空気調和装置のドレンパン周辺の拡大断面図である。図２に示すように、本実施形態では、結露水の水面が波立ってドレンパン９の空気流下流側の縁９ａを超えて飛散しないように、水面の波立ちを抑える消波部材２１が縁９ａに沿って配置されている。つまり、波の運動エネルギーが消波部材２１に吸収されることによって、水面の波立ちが抑制されている。
【００３０】
図３は、本発明の第１実施形態に係る空気調和装置のドレンパンの平面図である。図３に示すように、消波部材２１は、縁９ａの全長に相当する長さが好ましい。なぜなら、消波部材２１が断続的に配置されている場合は、消波部材２１同士の隙間から波が回折して伝播し、縁９ａに当たって水飛沫を発生させる可能性があるからである。したがって、本実施形態では、消波部材２１が、ドレンパン９の縁９ａの一端９１から他端９２にかけて縁９ａに沿うように配置されている。なお、消波部材２１は、縁９ａに密着している必要はなく、縁９ａに近い位置で、縁９ａの一端の近傍から他端の近傍まで連続的に配置されていればよい。
【００３１】
そして、水面の波立ちが抑制されたことによって、ドレンパン９の縁９ａは、従来の縁１９ａ（図６参照）に比べて低くすることができるので、送風時の圧損が軽減される。例えば、本実施形態を使った実験では、消波部材２１が配置されることによって、水面の波高さが５ｍｍ程度小さくなることが分かっているので、縁９ａの高さを５ｍｍ程度低くすることが可能となる。
【００３２】
また、縁９ａの上端と消波部材２１の上面とは同じ高さであり、ドレンパン９の内底面から、５０ｍｍ程度の距離に設定されている。もちろん、縁９ａの上端と消波部材２１の上面とが必ずしも同じ高さである必要はなく、消波部材２１の上面が縁９ａの上端より低く設定されてもよい。
【００３３】
消波部材２１は、連続的に配置されるのが好ましいが、消波部材２１の幅寸法（空気の流れ方向の寸法、又は波の伝播方向の寸法）が十分確保されているならば、断続的に配置されてもよい。消波部材２１が断続的に配置されている場合は、消波部材２１同士の隙間から波が回折して伝播し、縁９ａに当たって水飛沫を発生させる可能性があるが、消波部材２１の幅寸法が波の波長よりも十分大きい場合は、その隙間から伝播していく波を小さく抑えることができるからである。本実施形態を使った実験では、消波部材２１の幅寸法は１０ｍｍ以上が好ましいことが確認されており、実際には３０ｍｍ程度に設定されている。
【００３４】
ターボファン５から送られてくる空気が、室内熱交換器８とドレンパン９との隙間を迂回することを抑制するために、従来は、突出部１９ｂ（図６参照）が設けられていたが、本実施形態では、消波部材２１が空気流の迂回を抑制する機能を兼ねているので、従来の突出部１９ｂが不要となりドレンパン９の構造が簡素化されている。
【００３５】
消波部材２１としては、図４（ａ）に示す網２１ａで成形されたもの、図４（ｂ）に示す軽石２１ｂで成形されたもの、図４（ｃ）に示すスポンジ２１ｃで成形されたもの、あるいは図４（ｄ）に示すハニカム構造体２１ｄで成形されたものが好ましい。なお、図４（ａ），（ｂ），（ｃ），（ｄ）で示したもの以外で、無数の孔を有する多孔質体のものであるならば消波部材２１として応用が可能である。
【００３６】
また、多孔質体は、触媒担体に適しており、本発明の実施形態に係る空気調和装置の消波部材２１に対して、例えば、抗菌触媒を練りこむことによって、あるいは抗菌触媒を塗布することによって、消波部材２１が、ドレンパン９での雑菌の繁殖を抑制することが可能であり、これによって、吹出し空気の清潔な空気調和装置が実現される。なお、抗菌触媒としては、銀などが利用される。
【００３７】
＜第１実施形態の特徴＞
（１）
この空気調和装置１では、消波部材２１が、ドレンパン９の空気流下流側の縁９ａの近傍に配置されており、空気流の風圧で発生するドレンパン９の水面の波立ちが、消波部材２１によって緩和される。さらに、消波部材２１は、ドレンパン９の縁９ａの一端の近傍から他端の近傍まで連続して配置されており、水面上の波が回折する場所がなく伝播による波立ちが防止される。このため、水飛沫がドレンパン９の縁を飛び越えて飛散することが抑制される。
【００３８】
（２）
この空気調和装置１では、消波部材２１が、空気流の流れ方向に１０ｍｍ以上の幅を有しており、空気流の風圧によって発生する波の波長よりも、消波部材の幅寸法（空気の流れ方向の寸法、又は波の伝播方向の寸法）が十分大きいため、仮に波が消波部材を回折して伝播しても波立ちが小さい。
【００３９】
（３）
この空気調和装置１では、消波部材２１が、網２１ａ又は多孔質体（例えば、軽石２１ｂ、スポンジ２１ｃ、ハニカム構造体２１ｄ）で立体的に形成されている。この場合、軽量なうえに、加工が容易で安価である。
【００４０】
（４）
この空気調和装置１では、消波部材２１に抗菌触媒が練りこまれ、もしくは抗菌触媒が塗布されており、消波部材２１に吸着された雑菌が触媒の作用で死滅するので、ドレンパン内での雑菌の繁殖が抑制され、吹出される空気が清潔になる。
【００４１】
〔第２実施形態〕
上記の第１実施形態では、天井吊下げ型の空気調和装置について説明したが、天井埋込型、壁掛型および床置型等の空気調和装置に対しても適用可能である。以下、図面を用いて第２実施形態について説明する。
【００４２】
図５（ａ）は、本発明の第２実施形態に係る天井埋込ダクト型の外気処理エアコンの断面図であり、図５（ｂ）は、同エアコンのドレンパンを上方から見た外観図である。図５（ａ）において、ケーシング１０２は板金製の箱型容器であり、下空気吸込口１０３ａ、および空気吹出口１０３ｂがそれぞれ形成されている。また、ケーシング１０２の内部空間には、エアフィルタ１０４、ファン１０５及び室内熱交換器１０８が配置されている。
【００４３】
室内熱交換器１０８は、ファン１０５側から空気吹出口１０３ｂ側に向うにしたがって上方に傾斜するように配置されている。室内熱交換器１０８の下端部には、冷房運転時に発生する結露水を回収するためのドレンパン１０９が設けられている。そして、ドレンパン１０９内の結露水が波立って縁１０９ａを超えて飛散しないように、ドレンパン１０９の縁１０９ａには水面の波立ちを抑える消波部材２１が設けられている。つまり、波の運動エネルギーが消波部材２１に吸収されることによって、水面の波立ちが抑制される。なお、消波部材２１は、図５（ｂ）に示すように、ドレンパン１０９の空気流下流に位置する縁１０９ａの一端から他端まで連続的に配置されている。なお、消波部材２１は、縁１０９ａに密着している必要はなく、縁１０９ａに近い位置で、縁１０９ａの一端の近傍から他端の近傍まで連続的に配置されてもよい。また、消波部材２１は、連続的に配置されるのが好ましいが、空気の流れ方向（又は波の伝播方向）に対して、消波部材２１の幅寸法が十分に確保されているならば、断続的に配置されてもよい。
【００４４】
また、図５（ａ）に示すように、室内熱交換器１０８は、ファン１０５から近い側の端部を下方に、ファン１０５から遠い側の端部が上方になるように傾斜しており、ファン１０５から近い側の端部が、ドレンパン１０９の内部に位置している。このため、ファン１０５からドレンパン１０９内の水面に向って流れる空気の風圧が緩和され、ドレンパン１０９内の水面の波立ちが抑制されている。
【００４５】
＜第２実施形態の特徴＞
この空気調和装置１０１では、室内熱交換器１０８が、ファン１０５から近い側の端部が下方に位置しファン１０５から遠い側の端部が上方に位置するように傾斜している。そして、ファン１０５から近い側の端部が、ドレンパン１０９内に位置している。このため、ドレンパン１０９内の水面に作用するファン１０５から送られてくる空気の風圧が緩和され、ドレンパン内の水面の波立ちが抑制され、水飛沫の飛散も抑制される。
【産業上の利用可能性】
【００４６】
以上のように本発明は、ドレンパンにたまった結露水の波立ちを抑制するので、ドレンパンの寸法が空気の流れ方向に長く設定されているタイプの空気調和装置に有用である。
【図面の簡単な説明】
【００４７】
【図１】本発明の第１実施形態に係る空気調和装置の断面図。
【図２】同実施形態に係る空気調和装置のドレンパン周辺の拡大断面図。
【図３】同実施形態に係る空気調和装置のドレンパンの平面図。
【図４】（ａ）網（消波部材）の断面図。（ｂ）軽石（消波部材）の断面図。（ｃ）スポンジ（消波部材）の断面図。（ｄ）ハニカム構造体（消波部材）の断面図。
【図５】（ａ）本発明の第２実施形態に係る天井埋込ダクト型外気処理エアコンの断面図。（ｂ）同エアコンのドレンパンを上方から見た外観図。
【図６】従来の空気調和装置のドレンパン周辺の拡大断面図。
【符号の説明】
【００４８】
１，１０１  空気調和装置
５，１０５  ファン
８，１０８  室内熱交換器
９，１０９  ドレンパン
９ａ，１０９ａ  縁
２１  消波部材
２１ａ  網（網状体、消波部材）
２１ｂ  軽石（消波部材）
２１ｃ  スポンジ（消波部材）
２１ｄ  ハニカム構造体（消波部材）
【図１】
2008128488.tif 000003
【図２】
2008128488.tif 000004
【図３】
2008128488.tif 000005
【図４】
2008128488.tif 000006
【図５】
2008128488.tif 000007
【図６】
2008128488.tif 000008